(57)【特許請求の範囲】
【請求項１】
一枚のブランクシートから一体的に打ち抜かれた箱体形成片から成り、前記箱体形成片には、互いに連接された側面と、前記箱体形成片が組立状態のとき前記連接された側面で形成される箱体の一開口端部を閉鎖する底部分が設けられ、前記底部分は、前記一側面に連接し前記底部分の一部を覆う第一底蓋片と、この第一底蓋片の両側の側面から延出した一対の底フラップと、前記第一底蓋片に対向する側面から延出した第二底蓋片が設けられ、前記第一底蓋片と第二底蓋片には、隣接する一方の前記底フラップに糊付けされる底部糊付片が設けられ、第一底蓋片の端部には、包装用箱の組立状態で底部から立設される縦仕切り片が設けられ、一側面の側縁部には、包装用箱の組立状態で側面から直角に突出しコの字形に折り曲げられる横仕切り片が設けられ、前記縦仕切り片は前記横仕切り片の端部に当接して、前記横仕切り片により区切られる空間の下方に位置し、前記横仕切り片は、連接された一側面に設けられ前記側面を筒形に糊付けする糊付片に連続して設けられ、前記横仕切り片は前記糊付片に連接する第一横仕切り片と、組立状態で前記第一横仕切り片に交差する第二横仕切り片と、前記一側面の裏面に糊付けされる一方の横糊付片と、前記横糊付片から箱体の内側に向かって立ち上る第三横仕切り片と、前記第一横仕切り片の裏面に糊付けされる他方の横糊付片が順次連接されて設けられ、互いに折罫線で区切られ、前記縦仕切り片は、前記第二横仕切り片と第三横仕切り片の端部に当接し、前記第二横仕切り片と第三横仕切り片との間に収容された収容物の底面を支持することを特徴とする緩衝仕切り付き包装用箱。
【発明の詳細な説明】
【技術分野】
【０００１】
この発明は、瓶等の収容物を包装する緩衝仕切り付き包装用箱に関する。
【背景技術】
【０００２】
従来、ブランクシートから一体的に打ち抜かれた箱体形成片を折り曲げて糊付けしワンタッチで引き起こして組立可能に形成される包装用箱がある。このような包装用箱には、収容物を保護する緩衝用の仕切り片が一体に設けられたものがある。特許文献１に開示されている包装用箱は、収容物を保持する緩衝用の仕切り片が設けられ、この仕切り片は包装用箱の組立状態で底部分から略直角に立ち上がる立上片と、前記立上片に連続し前記底部分に対して略平行に位置する上面片と、前記上面片に連続し箱体の側面に糊付けされる仕切り用糊付片が互いに折罫線で区切られて設けられ、包装用箱の組立状態で箱形に組み立てられている。前記立上片と前記上面片の間の折罫線上には、収容物が嵌合される打ち抜き部が形成されている。
【０００３】
その他、特許文献２に開示されている包装用箱は、蓋フラップと底フラップに、収容物の上部または下部を押圧する押圧形成片が各々設けられ、押圧形成片は包装用箱の組立状態で箱形に組み立てられている。一対の押圧形成片の横には、緩衝空間形成壁が先端縁部を自由端として非固定状態に設けられている。
【先行技術文献】
【特許文献】
【０００４】
【特許文献１】特開２００８−５６２６２号公報
【特許文献２】特開平８−５８７７２号公報
【発明の概要】
【発明が解決しようとする課題】
【０００５】
上記背景技術の場合、箱形に組み立てられた仕切り片は緩衝的に保護する方向が限られているため、多くの方向を緩衝的に保護するためには複数個の仕切り片を作らなければならず、構造が複雑で組立工程が面倒であった。また、緩衝用の仕切り片が設けられている包装用箱に、収容物について書かれた説明書を収容することは考えられていなかった。
【０００６】
この発明は、上記背景技術の問題点に鑑みてなされたものであり、簡単な構造でワンタッチで組み立てられ収容物を確実に緩衝的に保護することができる緩衝仕切り付き包装用箱を提供することを目的とする。
【課題を解決するための手段】
【０００７】
本発明は、一枚のブランクシートから一体的に打ち抜かれた箱体形成片から成り、前記箱体形成片には、互いに連接された側面と、前記箱体形成片が組立状態のとき前記連接された側面で形成される箱体の一開口端部を閉鎖する底部分が設けられ、前記底部分は、前記一側面に連接し前記底部分の一部を覆う第一底蓋片と、この第一底蓋片の両側の側面から延出した一対の底フラップと、前記第一底蓋片に対向する側面から延出した第二底蓋片が設けられ、前記第一底蓋片と第二底蓋片には、隣接する一方の前記底フラップに糊付けされる底部糊付片が設けられ、前記第一底蓋片の端部には、包装用箱の組立状態で底部から立設される縦仕切り片が設けられている。そして、一側面の側縁部には、包装用箱の組立状態で、側面から直角に突出しコの字形に折り曲げられる横仕切り片が設けられ、前記縦仕切り片は前記横仕切り片の端部に当接して、前記横仕切り片により区切られる空間の下方に位置して収容物を支持する。
【０００８】
前記横仕切り片は、連接された一側面に設けられ前記側面を筒形に糊付けする糊付片に連続して設けられ、前記横仕切り片は前記糊付片に連接する第一横仕切り片と、組立状態で前記第一横仕切り片に交差する第二横仕切り片と、前記一側面の裏面に糊付けされる横糊付片と、前記横糊付片から箱体の内側に向かって立ち上る第三横仕切り片と、前記第一横仕切り片の裏面に糊付けされる前記横糊付片が順次連接されて設けられ、互いに折罫線で区切られている。
【０００９】
前記縦仕切り片は、前記第二横仕切り片と第三横仕切り片の端部に当接し、前記第二横仕切り片と第三横仕切り片との間に収容された収容物の底面を支持する。さらに、横仕切り片は、第一横仕切り片、第二横仕切り片、横糊付片、第三横仕切り片で四角筒状に組み立てられ、四角筒状の内側に収容物がわずかな隙間を有して入れられ、前記縦仕切り片とともに緩衝的に保護される。
【発明の効果】
【００１０】
本発明の緩衝仕切り付き包装用箱は、簡単な構造により糊付け後の状態から容易にワンタッチで組み立てが可能であり、箱体内に緩衝用の横仕切り片と縦仕切り片が確実に組み立てられ、収容物を保護して収容することができる。また、箱体内に収容物について書かれた説明書を収容することができる。
【図面の簡単な説明】
【００１１】
【図１】この発明の一実施形態の緩衝仕切り付き包装用箱の縦断面図である。
【図２】この実施形態の緩衝仕切り付き包装用箱の縦断面図である。
【図３】この実施形態の緩衝仕切り付き包装用箱の横断面図である。
【図４】この実施形態の緩衝仕切り付き包装用箱の展開図である。
【発明を実施するための形態】
【００１２】
以下、この発明の実施形態について図面に基づいて説明する。図１〜図３はこの発明の一実施形態を示すもので、この実施形態の緩衝仕切り付き包装用箱１０は、厚紙等の一枚のブランクシートを打ち抜いて形成された箱体形成片１２を組み立てて形成されている。
【００１３】
図４は、箱体形成片１２を表面から見た展開図であり、箱体形成片１２は、側面１４，１６，１８，２０が互いに平行に連接して形成されている。側面１４，１６，１８，２０は、連接している幅方向は同じ長さであり、連接方向の長さは側面１６，２０が長くて互いにほぼ等しく、側面１４，１８はやや短くて互いにほぼ等しい。さらに、側面２０の側縁部には、緩衝仕切り付き包装用箱１０の組立状態で側面１４の裏面に糊付けされる糊付片２２が設けられている。側面１４，１６，１８，２０、糊付片２２は、各々折罫線２４，２６，２８，３０で区切られている。
【００１４】
側面１４において、側面同士の連接方向に対して直角な方向の一端部には、矩形のフラップ３２が折罫線３４で区切られて設けられている。側面１４の、折罫線３４と反対側の端部には、略三角形状の底フラップ３６が折罫線３８で区切られて設けられている。
【００１５】
側面１６の、側面１４の折罫線３４に隣接する端部には、上蓋片４０が折罫線４２で区切られて設けられている。上蓋片４０の折罫線４２と反対側の端部には、さらに差込片４４が折罫線４６で区切られて設けられている。
【００１６】
側面１６の、折罫線４２と反対側の端部には、第一底蓋片４８が折罫線５０で区切られて設けられている。第一底蓋片４８は、折罫線５０を下底とする台形状に形成され、折罫線５０から、折罫線５０に対して平行な上底である端部４８aまでの長さは、緩衝仕切り付き包装用箱１０の組立状態で底部分の中心線付近に位置する長さ、つまり側面１４，１８の１／２より僅かに長い巾に設けられている。第一底蓋片４８の、側面１４に隣接する傾斜した側縁部には、略三角形の底部糊付片５２が折罫線５４で区切られて設けられている。第一底蓋片４８の端部４８ａには、底部糊付片５２近傍に、第一底蓋片４８内側にくぼむ凹部６０が設けられている。さらに凹部６０以外の端部４８aには、縦仕切り片５６が折罫線５８で区切られて設けられている。縦仕切り片５６は第一底蓋片４８よりも小形であり、折罫線５８と反対側の端部５６ａは折罫線５８に対して平行であり、端部５６ａは折罫線５８よりも長く形成され凹部６０の方へ突出した形状となる。
【００１７】
側面１８の、側面１６の折罫線４２に隣接する端部には、矩形のフラップ６２が折罫線６６で区切られて設けられている。側面１８の、折罫線６６と反対側の端部には、略三角形状の底フラップ６８が折罫線７０で区切られて設けられている。底フラップ６８の、側面２０に隣接する傾斜した側縁部には、折罫線７０に対して平行な側縁部を形成する段部７２が設けられている。
【００１８】
側面２０の、側面１８の折罫線７０に隣接する端部には、第二底蓋片７４が折罫線７６で区切られて設けられている。第二底蓋片７４は、折罫線７６を下底とする台形状に形成され、折罫線７６から、折罫線７６に対して平行な上底である端部７４aまでの長さは、緩衝仕切り付き包装用箱１０の組立状態で底部分の中心線付近に位置する長さ、つまり側面１４，１８の１／２より僅かに長い巾に設けられている。第二底蓋片７４の、側面１８に隣接する傾斜した側縁部には、略三角形の底部糊付片７８が折罫線８０で区切られて設けられている。第二底蓋片７４の端部７４ａには、底部糊付片７８近傍に、第二底蓋片７４内側にくぼむ凹部８２が設けられている。
【００１９】
さらに、箱体形成片１２の糊付片２２には、折罫線３０と平行な折罫線８５を介して、糊付片２２の連接方向の側縁部に、横仕切り片８４が折罫線８５に区切られて設けられている。横仕切り片８４は、糊付片２２に隣接する第一横仕切り片８６と、第二横仕切り片８８、横糊付片９０、第三横仕切り片９２、横糊付片９４が順次互いに連接して設けられている。第一横仕切り片８６、第二横仕切り片８８、横糊付片９０、第三横仕切り片９２、横糊付片９４は、各々折罫線９６，９８，１００，１０２で区切られて設けられている。横仕切り片８４は、連接している幅方向が側面１４，１６，１８，２０、糊付片２２よりも短く設けられている。横仕切り片８４の、組立状態で上方に位置する上端部８４ａは糊付片２２の上端部よりも低い位置から突出し、組立状態で下方に位置する下端部８４ｂは糊付片２２の下端部よりも高い位置から突出している。一方、横糊付片９０は底部に近付くように長く形成され、横糊付片９０の端部９０ａが下端部８４ｂよりも下方に位置している。そして横糊付片９０に隣接する第二横仕切り片８８は、横糊付片９０の端部９０ａよりわずかに下方に位置する端部８８ａと、そこから直角に立ち上がる端部８８ｂと下端部８４ｂによりＬ字形に形成されている。横糊付片９０の反対側に隣接する第三横仕切り片９２は、横糊付片９０の端部９０ａの延長線上に位置する端部９２ａと、そこから直角に立ち上がる端部９２ｂと下端部８４ｂによりＬ字形に形成されている。また、横仕切り片８４の連接方向の長さは、第一横仕切り片８６が長く、第二横仕切り片８８、横糊付片９０、第三横仕切り片９２、横糊付片９４はやや短くて互いにほぼ等しい。
【００２０】
次に、この実施形態の緩衝仕切り付き包装用箱１０の組立方法の一例について説明する。なお、ここでは図４が緩衝仕切り付き包装用箱１０の箱体形成片１２の表面を見たものであり、箱体形成片１２の表面が凸になる折り方を正折り、そして裏面が凸になる折り方を逆折りと称する。
【００２１】
まず、横糊付片９４の裏面に糊１０４を塗布し、折罫線９８を正折りして横糊付片９４の裏面を第一横仕切り片８６の裏面に糊付けする。次に、横糊付片９０の表面に糊１０６を塗布し折罫線８５を正折りし、横糊付片９０の表面を側面２０の裏面に糊付けする。次に底部糊付片５２，７８の裏面に糊１０８，１１０を塗布し、底部糊付片５２，７８を折罫線５４，８０で逆折りし、第一底蓋片４８、第二底蓋片７４を折罫線５０，７６で正折りするとともに、底フラップ３６，６８を、折罫線３８，７０で正折りする。さらに、糊付片２２の表面に糊１１２を塗布し、折罫線２８を正折りし、折罫線２４を正折りする。このとき底フラップ３６を糊付片２２と底部糊付片５２の間に差し込み、底フラップ３６の表面が底部糊付片５２の裏面に糊１０８により糊付けされる。また、底フラップ６８の表面に、底部糊付片７８の裏面が糊１１０により糊付けされる。
【００２２】
次に、商品を収容し包装する工場等において、折罫線２４，２６，２８，３０を各々９０°に正折りして四角形の箱体にする。このとき、第一底蓋片４８の底部糊付片５２は底フラップ３６に、第二底蓋片７４の底部糊付片７８は底フラップ６８に糊付けされているため、二つ折りされていた折罫線３８，５０，７０，７６は自動的に引き起こされてほぼ９０°に開き、底部分が形成される。また、箱体形成片１２の折り畳み状態では、縦仕切り片５６は側面１６と第一横仕切り片８６の間に位置している。
【００２３】
箱体形成片１２が箱体に組み立てられるとき、横仕切り片８４は、折罫線８５，９６，９８，１００で正折りされ、折罫線１０２で逆折りされ、四角筒形となる。横仕切り片８４の第一横仕切り片８６は、側面１６に対して平行にわずかの隙間を生じて位置している。そして、第一底蓋片４８が側面１６に対して９０°になるときに、側面１６と第一横仕切り片８６の間に位置していた縦仕切り片５６が、図２に示すように側面１６から離れ、折罫線５８がわずかに正折りされながら、第一横仕切り片８６の下端部８４ｂを通過して第一横仕切り片８６よりも箱の中央に位置する。この状態で、縦仕切り片５６は、第二横仕切り片８８と第三横仕切り片９２の一方の各端部端部８８ｂ，９２ｂに当接し、横仕切り片８４で作られた四角筒形の空間の下方に立設される。そして、第一底蓋片４８の凹部６０と、第二底蓋片７４の凹部８２が互いに係合される。これにより、この箱体底部を折り畳み状態に戻す力が働いても戻ることがない。また、底部を折り畳み状態に戻す力が働いても、縦仕切り片５６が第三横仕切り片９２の下端部８４ｂに当接して戻ることを防ぐ。この点からも縦仕切り片５６が折り畳み状態に戻ることを防ぐ。
【００２４】
この状態で、収容物である商品１１４を、緩衝仕切り付き包装用箱１０の横仕切り片８４で組み立てられた四角筒形に入れる。このとき商品１１４は、横仕切り片８４で組み立てられた四角筒状にわずかなゆとりを有して嵌合され、商品１１４の下端部は、縦仕切り片５６の上端部に当接し、上端部は上蓋片４０により押さえられる。なお、例えば商品１１４は瓶に薬剤が入れられたものである。そして横仕切り片８４の第一横仕切り片８６と、側面１６の間の隙間には、商品１１４について書かれた説明書１１６を差し込む。そして、折罫線３４、折罫線６６でフラップ３２，６２を正折りし、その後折罫線４２で上蓋片４０を正折りし、さらに折罫線４６を正折りして差込片４４を側面２０の内側に差し込み、閉鎖する。
【００２５】
商品１１４の使用後に緩衝仕切り付き包装用箱１０を破棄する等のため折り畳むときは、第一底蓋片４８と第二底蓋片７４を箱体内側に向かって一定以上の力で押す。すると、縦仕切り片５６は罫線５８でいずれかの方向に折り曲げられて横仕切り片８４の下端部８４ｂに当接しながら外側へ移動して横仕切り片８４から離れ、第一底蓋片４８の凹部６０と第二底蓋片７４の凹部８２のロックは解除され、底部分が外されて、緩衝仕切り付き包装用箱１０は折罫線２４、折罫線２８で正折りされて平坦となり破棄しやすい状態となる。
【００２６】
この実施形態の緩衝仕切り付き包装用箱１０によれば、簡単な構造によりワンタッチで箱体を組み立てることができ、組み立てると同時に横仕切り片８４と縦仕切り片５６が組み立てられ、組立効率がよい。そして、第一底蓋片４８には縦仕切り片５６が連接して設けられ、底部分が確実にロックされることにより確実に立設される。商品１１４は、横仕切り片８４により水平方向に保護され縦仕切り片５６により垂直方向に保護されるため、高い緩衝効果がある。また、第一底蓋片４８と第二底蓋片７４は互いに確実にロックされ、また縦仕切り片５６は折罫線５８で折り曲げないと横仕切り片８４の下端部８４ｂから出ることができないため、組み立てた箱体が平坦に折り畳んだ状態に後戻りせず、組立作業の効率が良好となる。
【００２７】
なお、この発明の緩衝仕切り付き包装用箱は上記実施形態に限定されるものではなく、緩衝用の仕切りは上記以外の部材に連接して設けられてもよく、形状も収容物の形状や数に合わせて適宜変更可能である。底部分を形成する各部材の形状は、組立時に円滑に互いに確実にロックされ、一定以上の力でロックが解除されるものであればよい。
【符号の説明】
【００２８】
１０  緩衝仕切り付き包装用箱
１２  箱体形成片
１４，１６，１８，２０  側面
２２  糊付片
３６，６８  底フラップ
４８  第一底蓋片
５２，７８  底部糊付片
５６  縦仕切り片
７４  第二底蓋片
８４  横仕切り片
８４ｂ  下端部
８６  第一横仕切り片
８８  第二横仕切り片
９０，９４  横糊付片
９２  第三横仕切り片
１１４  商品
【図１】
0005623153.tif 000002
【図２】
0005623153.tif 000003
【図３】
0005623153.tif 000004
【図４】
0005623153.tif 000005